(57)【要約】【課題】多数の検査の内容を容易に把握すること。【解決手段】病変情報保管部８７は、複数の検査イベントの各々を病変または診療ステータスとモダリティ種別と検査実施日とに関連付けた病変情報を記憶している。表示画面作成部９３は、病変情報保管部８７に記憶されている病変情報のうちの対象患者に関する病変情報に基づいて検査確認画面（又は検査・治療確認画面）を作成する。検査確認画面（又は検査・治療確認画面）には対象患者に関する対象病変または診療ステータス毎に検査イベントを時系列で示すタイムライン表示区域が設けられている。対象病変または診療ステータスの検査期間を示す検査期間マークがタイムライン表示区域内の当該検査期間に対応する箇所に付加される。また、検査イベント各々について当該検査イベントに供されたモダリティの種類に応じた検査イベントマークがタイムライン表示区域内の検査実施日に対応する箇所に付加される。【選択図】      図２
2015228103.tif 000002
【特許請求の範囲】
【請求項１】
複数の検査イベントの各々を病変または診療ステータスとモダリティの種類と検査実施日とに関連付けた病変情報を記憶する病変情報記憶部と、
前記病変情報記憶部に記憶されている病変情報のうちの対象患者に関する病変情報に基づいて表示画面を作成する作成部と、を具備し、
前記表示画面には、前記対象患者に関する対象病変または診療ステータス毎に前記対象病変または診療ステータスについて行われた検査イベントを時系列で示す第１の表示区域が設けられ、前記対象病変または診療ステータスの検査期間を示す検査期間マークが前記第１の表示区域の前記検査期間に対応する箇所に付加され、前記対象病変または診療ステータスについて行われた検査イベント各々について、前記検査イベントに供されたモダリティの種類に応じた検査イベントマークが前記第１の表示区域内の検査実施日に対応する箇所に付加される、
ことを特徴とする医用情報表示システム。
【請求項２】
複数の治療イベントの各々を治療の種類と治療実施日とに関連付けた治療情報を記憶する治療情報記憶部をさらに備え、
前記作成部は、前記治療情報記憶部に記憶されている治療情報のうちの対象患者に関する治療情報に基づいて、前記対象患者に関する治療イベントを時系列で示す第２の表示区域を前記第１の表示区域とともに前記表示画面に配置し、
前記対象患者の治療期間を示す治療期間マークが前記第２の表示区域に付加され、前記対象患者について行われた治療イベント各々について、前記治療イベントに関する治療の種類に応じた治療イベントマークが前記第２の表示区域内の治療実施日に対応する箇所に付加される、
ことを特徴とする請求項１記載の医用情報表示システム。
【請求項３】
前記対象患者に関する病変または診療ステータスは、複数の病変または診療ステータスを含み、
前記作成部は、前記複数の病変または診療ステータスの各々についての第１の表示区域に隣接して当該病変または診療ステータスのための治療ベントについての第２の表示区域を配置する、
請求項２記載の医用情報表示システム。
【請求項４】
前記表示画面と検査マップとを並べて表示する表示部をさらに備える、請求項１記載の医用情報表示システム。
【請求項５】
前記検査マップは、医用画像のサムネイル画像が検査対象病変毎に時系列に配列されたマップである、請求項４記載の医用情報表示システム。
【請求項６】
前記表示部は、前記検査マップの表示範囲を示すマークを前記表示画面に表示する、請求項５記載の医用情報表示システム。
【請求項７】
前記表示画面を表示する表示部、をさらに備える請求項１記載の医用情報表示システム。
【発明の詳細な説明】
【技術分野】
【０００１】
本発明の実施形態は、医用情報表示システムに関する。
【背景技術】
【０００２】
診断や治療の過程は複雑化しており、複数の診療科で連携して診断や治療を行うようになってきている。複数の診療科による連携を支援するため、患者の検査の履歴を可視化し、情報を共有する技術がある。例えば、特許文献１は、ある患者の検査の履歴を時系列で表示する技術を開示している。しかしながら、この時系列表示の場合、検査単位で各検査の内容が文字で示されており、検査の内容を理解するのに時間を要する。癌等の比較的長い時間をかけて治療が行われる場合、多数の検査が行われる。特許文献１の時系列表示の場合、一画面内に全ての検査を表示することができず、多数の検査の履歴を一目に把握することができない。また、特許文献２は、病変と診療ステータスとの観点から検査の履歴を示す検査マップを開示している。検査マップは、横軸が診療ステータスに規定され、縦軸が病変の種類に規定され、各カラムに医用画像のサムネイル画像を配置した画面である。特許文献２の検査マップの場合、サムネイル画像が配置されているため、多数の検査が行われている場合、全ての検査を一画面内に表示することができない。また、特許文献２に係る検査マップでは各検査の日時や検査間の時間間隔を把握することができない。
【先行技術文献】
【特許文献】
【０００３】
【特許文献１】特開２００７−９７９０９号公報
【特許文献２】特開２０１２−２３０６７２号公報
【発明の概要】
【発明が解決しようとする課題】
【０００４】
目的は、多数の検査の内容を容易に把握することが可能な医用情報表示システムを提供することにある。
【課題を解決するための手段】
【０００５】
本実施形態に係る医用情報表示システムは、複数の検査イベントの各々を病変または診療ステータスとモダリティの種類と検査実施日とに関連付けた病変情報を記憶する病変情報記憶部と、前記病変情報記憶部に記憶されている病変情報のうちの対象患者に関する病変情報に基づいて表示画面を作成する作成部と、を具備し、前記表示画面には、前記対象患者に関する対象病変または診療ステータス毎に前記対象病変または診療ステータスについて行われた検査イベントを時系列で示す第１の表示区域が設けられ、前記対象病変または診療ステータスの検査期間を示す検査期間マークが前記第１の表示区域の前記検査期間に対応する箇所に付加され、前記対象病変または診療ステータスについて行われた検査イベント各々について、前記検査イベントに供されたモダリティの種類に応じた検査イベントマークが前記第１の表示区域内の検査実施日に対応する箇所に付加される、ことを特徴とする。
【図面の簡単な説明】
【０００６】
【図１】本実施形態に係る医用情報表示システムの構成を示す図
【図２】図１の医用情報表示システムの機能ブロックを示す図
【図３】図２の治療情報保管部により記憶される治療情報の具体例を示す図
【図４】図２の病変情報保管部により記憶される治療情報の具体例を示す図
【図５】図２の表示画面作成部により作成される、検査期間マークが付加された検査確認画面の一例を示す図
【図６】図２の表示画面作成部により作成される、検査期間マークと検査イベントマークとが付加された検査確認画面の一例を示す図
【図７】図２の表示画面作成部により作成される、治療期間マークが付加された検査・治療確認画面の一例を示す図
【図８】図２の表示画面作成部により作成される、治療期間マークと治療イベントマークとが付加された検査・治療確認画面の一例を示す図
【図９】応用例１の表示画面作成部により作成される、検査・治療確認画面と検査マップとを含む並列表示画面の一例を示す図
【図１０】応用例２の表示画面作成部により作成される検査・治療確認画面の一例を示す図
【図１１】応用例３の表示画面作成部により作成される検査・治療確認画面の一例を示す図
【発明を実施するための形態】
【０００７】
以下、図面を参照しながら本実施形態に係わる医用情報表示システムを説明する。
【０００８】
図１は、本実施形態に係る医用情報表示システム１の構成を示す図である。図１に示すように、本実施形態に係る医用情報表示システム１は、互いにネットワークを介して接続された電子カルテ作成装置１００、電子カルテ保管装置２００、医用画像観察装置３００、医用画像保管装置４００、医用レポート作成装置５００、医用レポート保管装置６００、医用画像撮影装置７００、医用情報提供装置８００、及び医用情報閲覧装置９００を含む。電子カルテ作成装置１００と電子カルテ保管装置２００とはＨＩＳ（Hospital Information System）を構成し、医用画像観察装置３００と医用画像保管装置４００とはＰＡＣＳ(Picture and Archiving Communication System)を構成し、医用レポート作成装置５００と医用レポート保管装置６００とはレポートシステムを構成する。医用情報表示システム１に含まれる各装置間の画像通信としては、医用画像の標準規格であるＤＩＣＯＭ規格などの既成のどのような規格が利用されてもよい。なお、情報通信としては、典型的には、業界標準規格のＴＣＰ／ＩＰ(Transmission Control Protocol / Internet Protocol)通信が採用される。情報は、ネットワークを介してパケット単位(転送する情報の基本単位)で送受信される。
【０００９】
電子カルテ作成装置１００は、例えば、診察室に設置される。電子カルテ作成装置１００は、臨床医による操作に従って、患者の電子カルテを作成する。電子カルテは、患者の治療情報等の様々な情報を含んでいる。電子カルテ作成装置１００は、発行された電子カルテを電子カルテ保管装置２００に送信する。治療情報については後述する。
【００１０】
電子カルテ保管装置２００は、電子カルテ作成装置１００から送信された電子カルテを保管する。電子カルテ保管装置２００は、医用情報提供装置８００からの取得要求に応答して、当該取得要求に応じた電子カルテ又は治療情報を医用情報提供装置８００に配信する。
【００１１】
医用画像観察装置３００は、読影医による医用画像の読影に用いられる。医用画像観察装置３００は、読影医による操作に従って、医用画像保管装置４００から医用画像を取得し、取得された医用画像を表示する。
【００１２】
医用画像保管装置４００は、医用画像撮影装置７００で発生された医用画像を保管する。医用画像保管装置４００は、医用画像観察装置３００からの取得要求に応答して、当該取得要求に応じた医用画像を医用画像観察装置３００に配信する。また、医用画像保管装置４００は、医用情報提供装置８００からの取得要求に応答して、当該取得要求に応じた医用画像又は付帯情報を医用情報提供装置８００に配信する。
【００１３】
医用レポート作成装置５００は、読影医による操作に従って、医用画像観察装置３００を使用して読影医が読影した結果のレポート（以下、医用レポートと呼ぶ。）を作成する。医用レポート作成装置５００は、作成された医用レポートを、医用レポート保管装置６００に転送する。
【００１４】
医用レポート保管装置６００は、医用レポート作成装置５００で作成された医用レポートを取得し、取得された医用レポートを保管する。医用レポート保管装置６００は、医用情報提供装置８００からの取得要求に応答して当該取得要求に応じた医用レポートを医用情報提供装置８００に転送する。
【００１５】
医用画像撮影装置７００は、放射線技師による操作に従って、患者の医学検査を実施する。具体的には、医用画像撮影装置７００は、患者に医用撮像を施して当該患者に関する医用画像を発生する。医用画像には、医用撮像に供された医用画像撮影装置７００により付帯情報が関連付けられる。医用画像撮影装置７００は、医用画像と付帯情報とを医用画像保管装置４００に転送する。
【００１６】
医用情報提供装置８００は、電子カルテ保管装置２００、医用画像保管装置４００、及び医用レポート保管装置６００に、本実施形態に係る検査確認画面または検査・治療確認画面の生成対象の患者（以下、対象患者）に関する情報の取得要求を送信する。取得要求は、医用情報閲覧装置９００からの閲覧要求が医用情報提供装置８００により受信されたことを契機としてなされると良い。医用情報提供装置８００は、取得要求に応答して電子カルテ保管装置２００から送信された電子カルテまたは治療情報、医用画像保管装置４００から送信された医用画像または付帯情報、及び医用レポート保管装置６００から送信された医用レポートを受信する。そして医用情報提供装置８００は、検査確認画面または検査・治療確認画面の作成のために用いられる医用情報を、電子カルテまたは治療情報、医用画像または付帯情報、及び医用レポートから選定する。医用情報提供装置８００は、選定された医用情報を医用情報閲覧装置９００に送信する。
【００１７】
医用情報閲覧装置９００は、対象患者に関する検査確認画面または検査・治療確認画面の閲覧要求を医用情報提供装置８００に送信する。閲覧要求は、医師や看護師等のユーザにより入力機器を介して発行される。医用情報閲覧装置９００は、医用情報提供装置８００からの医用情報に基づいて検査確認画面または検査・治療確認画面を作成し、作成された検査確認画面または検査・治療確認画面を表示する。また、医用情報閲覧装置９００は、検査確認画面または検査・治療確認画面とともに検査マップ等を並べて表示する。検査確認画面、検査・治療確認画面、及び検査マップについては後述する。
【００１８】
次に、本実施形態に係る医用情報表示システム１の動作例を説明する。図２は、本実施形態に係る医用情報表示システム１の機能ブロックを示す図である。
【００１９】
図２に示すように、電子カルテ保管装置２００には治療情報保管部２１と送信部２３とが実装されている。治療情報保管部２１は、電子カルテに記載されている治療情報を記憶する。なお、治療情報保管部２１は、電子カルテそのものを記憶していても良い。治療情報保管部２１は、医用情報提供装置８００からの取得要求に応答して送信部２３に、対象患者に関する治療情報を供給する。送信部２３は、治療情報を医用情報提供装置８００に送信する。医用画像保管装置４００には医用画像保管部４１と送信部４３とが実装されている。医用画像保管部４１は、医用画像を付帯情報に関連付けて記憶する。付帯情報としては、例えば、患者情報、検査情報、シリーズ情報、及び画像情報が含まれる。具体的には、付帯情報としては、当該医用画像の発生に供された医用画像撮影装置７００（モダリティ）の種別を示す情報（以下、モダリティコードと呼ぶ）が挙げられる。医用画像保管部４１は、医用情報提供装置８００からの取得要求に応答して送信部４３に、対象患者に関する医用画像に付されたモダリティコードを供給する。送信部４３は、モダリティコードを医用情報提供装置８００に送信する。なお、医用画像保管部４１と送信部４３とは医用画像撮影装置７００に設けられていても良い。医用レポート保管装置６００には医用レポート保管部６１と送信部６３とが実装されている。医用レポート保管部６１は、医用レポートを記憶する。医用レポート保管部６１は、医用情報提供装置８００からの取得要求に応答して送信部６３に、対象患者に関する医用レポートを供給する。送信部６３は、医用レポートを医用情報提供装置８００に送信する。
【００２０】
図２に示すように、医用情報提供装置８００は、受信部８１、治療情報保管部８３、病変情報抽出部８５、病変情報保管部８７、及び送信部８９を有している。受信部８１は、送信部２３からの治療情報、送信部４３からのモダリティコード、送信部６３からの医用レポートを受信する。治療情報保管部８３は、治療情報を患者単位で保管する。治療情報は、患者についての治療に係る情報である。具体的には、治療情報は、治療イベント毎に治療種別、連続フラグ、及び治療実施日を関連付けた情報である。治療情報は、例えば、治療イベント毎にレコード形式で管理されている。
【００２１】
図３は、ある患者の治療情報の具体例を示す図である。図３に示すように、治療情報は、治療イベント毎に治療イベントＩＤ、治療種別、連続フラグ、開始日、及び終了日の項目を有している。治療イベントＩＤは、治療イベントを一意に識別するための情報である。治療種別は、治療の種類を表す情報である。治療種別としては、例えば、手術、放射線治療、化学療法等がある。連続フラグは、治療が複数日に亘って行われたか否かを示す情報である。例えば、連続フラグは、治療が複数日に亘って行われた場合、値「１」を有する。反対に、連続フラグは、治療が複数日に亘って行われていない場合、値「０」を有する。例えば、手術や放射線治療は、１日以内に治療が完了する。そのため、手術や放射線治療の連続フラグは、治療が複数日に亘って行われていない旨を示す値「１」を有している。化学療法のような投薬治療は、複数日に亘って行われる。そのため、化学療法の連続フラグは、治療が複数日に亘って行われている旨を示す値「０」を有している。なお、値「１」と値「０」とは一例であって、治療が複数日に亘って行われた場合と治療が複数日に亘って行われていない場合との各々には、同一値でなければ、如何なる値が割り当てられても良い。開始日は、治療の開始日である。終了日は、治療の終了日である。連続フラグが値「１」を有している場合、開始日と終了日とが同じ日付となり、連続フラグが値「０」を有している場合、開始日と終了日とが異なる日付となる。
【００２２】
病変情報抽出部８５は、医用レポート及びモダリティコードから、検査確認画面または検査・治療確認画面の生成対象の患者に関する病変情報を抽出する。病変情報は、患者についての病変に係る情報である。具体的には、病変情報は、検査イベント毎に検査日、モダリティコード、及び病変名を関連付けた情報である。病変情報の抽出は、既存の方法により行われれば良い。
【００２３】
病変情報保管部８７は、病変情報抽出部８５により抽出された病変情報を保管する。病変情報保管部８７は、病変情報を検査イベント毎にレコード形式で管理している。
【００２４】
図４は、病変情報の具体例を示す図である。図４に示すように、病変情報は、検査イベント毎に検査イベントＩＤ、レポートＩＤ，検査日、モダリティコード、病変名の項目を有している。検査イベントＩＤは、検査イベントを一意に識別するための情報である。レポートＩＤは、医用レポートを一意に識別するための情報である。医用レポートＩＤは、検査毎に作成される医用レポートの通し番号である。１つの検査において複数の病変を読影する場合、同一のレポートＩＤで複数の検査イベントのレコードが作成される。例えば、レポートＩＤ「１００１」の検査イベントのレコードは、病変名「肺癌」と病変名「肺炎」との各々について作成される。検査日は、検査を行った日付である。モダリティコードは、上述のように、医用撮像に供された医用画像撮影装置７００の種類を示す情報である。例えば、Ｘ線コンピュータ断層撮影装置のモダリティコードは値「ＣＴ」を有し、磁気共鳴診断装置のモダリティコードは値「ＭＲ」を有する。病変名は、医用レポートの読影対象の病変の名称である。
【００２５】
送信部８９は、医用情報閲覧装置９００から送信された閲覧要求に応答して、対象患者に関する医用情報、すなわち、治療情報及び病変情報を送信する。
【００２６】
図２に示すように、医用情報閲覧装置９００は、受信部９１、表示画面作成部９３、及び表示部９５を有している。受信部９１は、医用情報提供装置８００から送信された対象患者に関する医用情報、すなわち、治療情報及び病変情報を受信する。表示画面作成部９３は、病変情報に基づいて検査確認画面を作成し、あるいは、病変情報及び治療情報に基づいて検査・治療確認画面を作成する。表示部９５は、表示画面作成部９３により作成された検査確認画面または検査・治療確認画面を表示機器に表示する。
【００２７】
次に、表示画面作成部９３により検査確認画面及び検査・治療確認画面の作成処理について詳細に説明する。まずは、検査確認画面の作成処理について説明する。検査確認画面は、対象患者についての検査イベントを病変毎に時系列で図式的に示す画面である。
【００２８】
まず、表示画面作成部９３は、対象患者に関する病変情報に基づいて各病変についての検査期間を決定する。例えば、図４の病変情報の場合、病変としては、「肺癌」、「肺炎」、「骨折」が挙げられる。表示画面作成部９３は、複数の検査イベントのレコードの検査日の値を探索し、複数の病変の各々について最古の年月日を当該病変の検査開始日として特定する。図４の病変情報の場合、「肺癌」の検査開始日は「２０１０／５／１０」であり、「肺炎」の検査開始日は「２０１１／２／３」であり、「骨折」の検査開始日は「２０１２／６／７」であると特定される。これにより各病変の検査期間が特定される。すなわち、各病変の検査期間は、検査開始日から基準時（典型的には、現在、すなわち、検査確認画面の作成日）までの期間に設定される。なお、検査終了日が検査イベントのレコードに割り当てられている場合、検査開始日から当該検査終了日までの期間が検査期間に設定されると良い。
【００２９】
各病変の検査期間が特定されると表示画面作成部９３は、検査確認画面に検査期間を示すマーク（以下、検査期間マークと呼ぶ）を付加する。図５は、検査期間マークＭｓｐが付加された検査確認画面Ｉ１の一例を示す図である。図５に示すように、検査確認画面Ｉ１には、病変毎に時間軸（タイムライン）が設けられている。時間軸は、左方から右方へ向かうにつれて時間が経過するように設けられている。このように検査確認画面Ｉ１は、病変毎のタイムライン表示区域Ｒｔｌを有している。例えば、図５においては、「肺癌」についてのタイムライン表示区域Ｒｔｌ１、「肺炎」についてのタイムライン表示区域Ｒｔｌ２、「骨折」についてのタイムライン表示区域Ｒｔｌ３が設けられている。タイムライン表示区域Ｒｔｌ１の上方には年月日を把握するための文字列が付されている。図５においては、各年について１２か月を１月〜３月、４月〜６月、７月〜９月、１０月〜１２月までの４組に分割して年月日が示されている。図５において検査期間マークＭｓｐは、点線で示されている。点線の開始地点（左端点）が検査開始日に対応する。点線の終了地点（右端点）が検査終了日に対応する。例えば、「肺癌」の検査期間は「２０１０／５／１０」から現在までであるので、「肺癌」についてのタイムライン表示区域Ｒｔｌ１内の「２０１０／５／１０」から現在までの期間に対応する箇所に検査期間マークＭｓｐが点線で描かれている。
【００３０】
さらに表示画面作成部９３は、検査イベントを示すマーク（以下、検査イベントマークと呼ぶ）を付加する。検査イベントマークは、各病変の各検査イベントに対応する検査の検査内容を視覚的に区別可能に表現するマークである。検査イベントマークにより識別される検査内容としては、例えば、医用画像の付帯情報に含まれる如何なる項目であっても良い。具体的には、検査内容として、モダリティ種別（すなわち、モダリティコード）が挙げられる。
【００３１】
図６は、検査期間マークＭｓｐと検査イベントマークＭｓｉとが付加された検査確認画面Ｉ１の一例を示す図である。図６に示すように、検査イベントマークＭｓｉは、当該検査イベントの検査日に対応するタイムライン表示区域Ｒｔｌ内の対応箇所に付加される。例えば、検査イベントマークＭｓｉは、モダリティ種別に応じて異なる形状を有している。具体的には、モダリティ種別がＸ線コンピュータ断層撮影装置（すなわち、モダリティコードがＣＴ）である検査イベントマークＭｓｉ１は丸形状を有しており、モダリティ種別が磁気共鳴診断装置（すなわち、モダリティコードがＭＲ）である検査イベントマークＭｓｉ２は三角形状を有しており、モダリティ種別がＸ線診断装置（すなわち、モダリティコードがＣＲ）である検査イベントマークＭｓｉ３は菱形形状を有している。なお、検査イベントマークＭｓｉの形状は、丸形状、三角形状、及び菱形形状に限定されず、如何なる幾何学的形状であっても良い。検査イベントマークＭｓｉの種類とモダリティコードとは、表示画面作成部９３により予め関連付けて記憶されている。
【００３２】
表示画面作成部９３は、対象患者に関する病変情報を探索し、検査イベント毎に検査日とモダリティコードと病変名とを特定する。表示画面作成部９３は、特定されたモダリティコードに関連付けられた検査イベントマークを読み出し、読み出された検査イベントマークを、当該病変名に対応するタイムライン表示区域内の当該検査日に対応する箇所に付加する。例えば、図４におけるＩＤ「４」の検査イベントは、検査日が「２０１１／１０／７」であり、モダリティコードが「ＭＲ」であり、病変名が「肺炎」である。この場合。表示画面作成部９３は、「肺炎」に対応するタイムライン表示区域内の「２０１１／１０／７」に対応する箇所に、三角形状の検査イベントマークを付加する。このように対象患者に関する全ての検査イベントの各々について当該検査イベントに対応する検査イベントマークが検査確認画面に付加される。これにより、検査確認画面が完成する。検査確認画面は、表示部９５により表示機器に表示される。
【００３３】
上記の説明において、検査イベントマークは、モダリティ種別に応じて異なる形状を有するとした。しかしながら、本実施形態はこれに限定されない。例えば、検査イベントマークは、モダリティ種別に応じて異なる色を有するとしても良い。
【００３４】
上記の通り、検査確認画面は、対象患者の疾患毎の検査イベントの検査日を、当該検査に供されたモダリティ種別等の検査内容を視認可能に区別してタイムライン上に図式的に示している。従って、検査確認画面を観察することによりユーザは、検査単位で各検査の内容を文字で示していた特許文献１に記載の時系列表示に比して、容易に検査履歴と検査内容とを把握することができる。また、特許文献１に記載の時系列表示は検査単位で各検査の内容を文字で示していため、検査数が多い場合、一画面内に全ての検査内容を表示することが難しい。しかしながら、本実施形態に係る検査確認画面は、検査内容を文字で表現せず、マークの形状や色等で表現している。従って本実施形態に係る検査確認画面は、特許文献１に記載の時系列表示に比して、多くの検査内容を認識可能な態様で表示することができる。特許文献２に記載の検査マップは、診療ステータスと病変の種類とに従ってサムネイル画像が表形式で配列されているため、各検査の実施日や検査間の時間間隔を把握することができない。しかしながら、本実施形態に係る検査確認画面は、時間軸に沿って検査イベントマークが配置されているため、各検査の実施日や検査間の時間間隔を容易に把握することができる。また、多数の検査の全てのサムネイル画像を一画面に表示させるためには、検査マップの縮尺を小さくしなければならない。しかしながら、特許文献２に記載の検査マップは、医用画像のサムネイル画像が配置されているため、実運用上において、サムネイル画像の細部がユーザに識別可能な縮尺で表示される。従って、特許文献２に記載の検査マップは、比較的狭い時間範囲でしか表示されることができない。一方、本実施形態に係る検査確認画面は、識別が容易である単純なマークが時間軸に沿って配置されているのみである。従って本実施形態に係る検査確認画面は、特許文献２に記載の検査マップに比して、多くの検査内容を認識可能な態様で表示することができる。
【００３５】
次に、検査・治療確認画面の作成処理について説明する。検査・治療確認画面は、病変情報と治療情報とに基づいて作成される。検査・治療確認画面は、検査履歴に加え治療履歴も確認可能な表示画面である。換言すれば、検査・治療確認画面は、検査確認画面に治療についてのタイムライン表示区域が組み込まれた表示画面である。
【００３６】
検査・治療確認画面の作成処理において表示画面作成部９３は、まず、対象患者に関する治療情報に基づいて治療期間を決定する。具体的には、表示画面作成部９３は、対象患者に関する複数の治療イベントのレコードの検査日の値を探索し、最古の年月日を治療開始日として特定する。図３の治療情報の場合、治療開始日は「２０１０／１０／９」であると特定される。これにより治療期間が特定される。すなわち、治療期間は、治療開始日から基準時（典型的には、現在、すなわち、検査・治療確認画面の作成日）までの期間に設定される。なお、治療終了日が検査イベントのレコードに割り当てられている場合、治療開始日から当該治療終了日までの期間が治療期間に設定されると良い。なお、検査期間については、上記と同様の方法により特定される。
【００３７】
治療期間が特定されると表示画面作成部９３は、検査期間マークの他に、検査・治療確認画面に治療期間を示すマーク（以下、治療期間マークと呼ぶ）を付加する。図７は、検査期間マークＭｓｐと治療期間マークＭｔｐとが付加された検査・治療確認画面Ｉ２の一例を示す図である。図７に示すように、検査・治療確認画面Ｉ２には、治療についての時間軸（タイムライン）が設けられている。このように検査・治療確認画面Ｉ２は、病変毎のタイムライン表示区域Ｒｔｌの他に、治療についてのタイムライン表示区域Ｒｔｔを有している。例えば、図７においては、「骨折」についてのタイムライン表示区域Ｒｔｌ３の下方に治療についてのタイムライン表示区域Ｒｔｔが設けられている。例えば、治療期間が「２０１０／１０／９」から現在までであるので、タイムライン表示区域Ｒｔｔ内の「２０１０／１０／９」から現在までの期間に対応する箇所に治療期間マークＭｔｐが点線で描かれている。
【００３８】
さらに表示画面作成部９３は、治療イベントを示すマーク（以下、治療イベントマークと呼ぶ）を付加する。治療イベントマークは、治療イベントに対応する治療の種類に応じて視覚的に区別可能である。
【００３９】
図８は、検査イベントマークＭｓｉに加え、治療イベントマークＭｔｉが付加された検査・治療確認画面Ｉ２の一例を示す図である。図８に示すように、治療イベントマークＭｔｉは、タイムライン表示区域Ｒｔｔ内の当該治療イベントの実施日に対応する箇所に付加される。例えば、治療イベントマークＭｔｉは、治療種別に応じて異なる形状を有している。具体的には、治療種別が化学療法である治療イベントマークＭｔｉ１は四角形状を有しており、治療種別が手術である治療イベントマークＭｔｉ２は丸形状を有しており、治療種別が放射線治療である治療イベントマークＭｔｉ３は三角形状を有している。なお、治療イベントマークＭｔｉの形状は、四角形状、丸形状、及び三角形状に限定されず、如何なる幾何学的形状であっても良い。治療イベントマークＭｔｉの種類と治療種別とは、表示画面作成部９３により予め関連付けて記憶されている。
【００４０】
表示画面作成部９３は、対象患者に関する治療情報を探索し、病変イベント毎に治療種別と連続フラグと開始日と終了日とを特定する。連続フラグが値「０」の場合、表示画面作成部９３は、特定された治療種別に関連付けられた治療イベントマークを読み出し、読み出された治療イベントマークを、治療についてのタイムライン表示区域内の当該開始日（または終了日）に対応する箇所に付加する。例えば、図３におけるＩＤ「１」の治療イベントは、治療種別が「手術」であり、連続フラグが「０」であり、開始日が「２０１２／１０／９」であり、終了日が「２０１２／１０／９」である。この場合、表示画面作成部９３は、図８に示すように、治療についてのタイムライン表示区域Ｒｔｔ内の「２０１２／１０／９」に対応する箇所に、丸形状の治療イベントマークＭｔｉ１を付加する。連続フラグが値「１」の場合、表示画面作成部９３は、特定された治療種別に関連付けられた治療イベントマークを読み出し、読み出された治療イベントマークを、治療についてのタイムライン表示区域内の当該開始日と終了日との間の期間に対応する箇所に付加する。この際、治療イベントマークは、開始日と終了日との間の期間に対応する箇所を覆う様に拡張されると良い。例えば、図３におけるＩＤ「３」の治療イベントは、治療種別が「化学療法」であり、連続フラグが「１」であり、開始日が「２０１２／３／１０」であり、終了日が「２０１２／１０／２」である。この場合、表示画面作成部９３は、図８に示すように、四角形状の治療イベントマークＭｔｉ３を拡張し、タイムライン表示区域Ｒｔｔ内の「２０１２／３／１０」と「２０１２／１０／２」との間の期間に対応する箇所に付加する。このように全ての治療イベントについて治療イベントマークが検査・治療確認画面に付加される。検査イベントマークについても、上記と同様の方法により検査・治療確認画面に付加される。これにより、検査・治療確認画面が完成する。検査・治療確認画面は、表示部９５により表示される。
【００４１】
上記の説明において、治療イベントマークは、治療種別に応じて異なる形状を有するとした。しかしながら、本実施形態はこれに限定されない。例えば、治療イベントマークは、治療種別に応じて異なる色を有するとしても良い。
【００４２】
上記の通り、検査・治療確認画面は、病変毎の検査イベントに加え、対象患者の治療イベントの実施日を当該治療イベントの治療種別等の治療内容を視認可能に区別してタイムライン上に図式的に示している。従って、検査・治療確認画面を観察することによりユーザは、対象患者についての治療履歴と治療内容とを容易に把握することができる。また、本実施形態に係る検査・治療確認画面は、治療内容を文字で表現せず、マークの形状や色等で表現している。従って本実施形態に係る検査・治療確認画面は、多くの治療内容を認識可能な態様で一画面に表示することができる。また、本実施形態に係る検査・治療確認画面は、同一のタイムスケールにおいて検査イベントと治療イベントを時系列で表示している。従って、本実施形態に係る検査・治療確認画面は、検査イベントと治療イベントとの前後関係や内容の関連性を時系列で容易に把握することができる。
【００４３】
［応用例１］
本実施形態に係る表示画面作成部９３は、検査内容をより詳細に把握するため、検査確認画面（または検査・治療確認画面）と検査マップとを一画面に組み込まれてなる表示画面（以下、並列表示画面と呼ぶ）を作成しても良い。並列表示画面は、検査確認画面と検査マップとを含んでいても良いし、検査・治療確認画面と検査マップとを含んでいても良い。しかしながら、以下、説明を具体的に行なうため、並列表示画面は、検査・治療確認画面と検査マップとを含むものとする。
【００４４】
図９は、検査・治療確認画面Ｉ２と検査マップＩ３とを含む並列表示画面Ｉ４の一例を示す図である。図９に示すように、並列表示画面Ｉ４は、検査・治療確認画面Ｉ２のための表示ウィンドウＷｉ２と検査マップＩ３のための表示ウィンドウＷｉ３とを有している。表示ウィンドウＷｉ２に検査・治療確認画面Ｉ２が表示され、表示ウィンドウＷｉ３に検査マップＩ３が表示される。検査マップＩ３は、検査対象の病変毎に医用画像のサムネイル画像Ｓｉが時系列で配列されたマップである。換言すれば、検査マップＩ３は、横軸が検査日に規定され、縦軸が病変の種類に規定され、各カラムに医用画像のサムネイル画像が配置された画面である。検査マップＩ３は、一人の患者について作成される。検査マップＩ３は、既知の方法により作成される。従って検査マップＩ３の作成方法についての説明は省略する。
【００４５】
図９に示すように、検査マップＩ３は、サムネイル画像Ｓｉが配置されている。従ってユーザは、検査マップＩ３を観察することにより、より詳細に個々の検査の内容を把握することができる。しかしながら、検査・治療確認画面Ｉ２のような広範なタイムスケールで検査マップＩ３を表示することは、実運用上好ましくない。検査マップＩ３を検査・治療確認画面Ｉ２と同様の広範なタイムスケールで表示した場合、サムネイル画像Ｓｉが過度に縮小されるため、ユーザがサムネイル画像Ｓｉの細部を識別できないためである。従って表示部９５は、検査マップＩ３全体を表示ウィンドウＷｉ３内に表示するのではなく、サムネイル画像Ｓｉの細部がユーザ等により識別可能な所定の拡大率で検査マップの局所範囲を表示ウィンドウＷｉ３内に表示する。一方、検査・治療確認画面Ｉ２は、上述の通り、比較的広範なタイムスケールで表示可能である。従って表示部９５は、広い範囲、典型的には、全体が表示ウィンドウＷｉ２に収まるように検査・治療確認画面Ｉ２を表示する。これによりユーザは、検査・治療確認画面Ｉ２を観察することにより検査履歴や治療履歴の概略的な内容を広範囲に亘って把握し、検査マップＩ３を観察することにより検査・治療確認画面Ｉ２の局所範囲内の検査履歴の詳細な内容を把握することができる。
【００４６】
表示部９５は、検査マップＩ３の表示範囲が検査・治療確認画面Ｉ２のどの範囲であるかを示す表示範囲マークＭｄを、検査・治療確認画面Ｉ２に表示すると良い。これによりユーザは、検査マップＩ３と検査・治療確認画面Ｉ２との時間的関係を容易に把握することができる。表示範囲マークＭｄは、表示部９５により画面内で移動可能に表示される。ユーザは、入力機器を介して表示範囲マークＭｄを検査・治療確認画面の範囲に限定して移動させることができる。表示部９５は、入力機器を介した表示範囲マークＭｄの移動に連動して、検査マップＩ３全体のうちの表示範囲マークＭｄに対応する表示範囲を表示ウィンドウＷｉ３に表示する。あるいは、表示部９５は、入力機器を介した表示ウィンドウＷｉ３内での検査マップＩ３の表示範囲の変更操作に連動して、検査・治療確認画面Ｉ２内の表示範囲マークＭｄを移動させても良い。
【００４７】
［応用例２］
上記の実施形態において検査・治療確認画面は、複数の治療イベントを単一の時間軸に配置していた。しかしながら、本実施形態はこれに限定されない。治療対象の病変が既知の場合、病変毎に治療用の時間軸が設けられている方が良い。
【００４８】
図１０は、応用例２に係る検査・治療確認画面Ｉ５の一例を示す図である。図１０に示すように、検査・治療確認画面Ｉ５には、複数の病変に関する複数のタイムライン表示区域Ｒｔｌの各々ついて、当該病変のための治療についてのタイムライン表示区域Ｒｔｔが当該病変についてのタイムライン表示区域Ｒｔｌに隣接して設けられている。例えば、図１０に示すように、「肺癌のための治療」についてのタイムライン表示区域Ｒｔｔ１が「肺癌」についてのタイムライン表示区域Ｒｔｌ１に隣接して設けられ、「肺炎のための治療」についてのタイムライン表示区域Ｒｔｔ２が肺炎についてのタイムライン表示区域Ｒｔｌ２に隣接して設けられ、「骨折のための治療」についてのタイムライン表示区域Ｒｔｔ３が「骨折」についてのタイムライン表示区域Ｒｔｌ３に隣接して設けられている。
【００４９】
応用例２においては、治療と当該治療の対象の病変との対応関係が既知であるとする。例えば、治療イベントの各々について治療対象の病変の病変名が治療情報保管部８３において対応付けられている。各治療についてのタイムライン表示区域Ｒｔｔには、上記と略同様の方法により、治療期間マークＭｔｐと治療イベントマークＭｔｉとが付加される。すなわち、表示画面作成部９３は、まず、複数の治療イベントの各々について治療対象の病変の病変名と治療実施日とを特定し、各病変についての治療期間を決定し、各病変のための治療についてのタイムライン表示区域Ｒｔｔに治療期間マークＭｔｐを付加する。次に表示画面作成部９３は、複数の病変の各々について当該病変のための治療についてのタイムライン表示区域Ｒｔｔに治療イベントマークを付加する。
【００５０】
このように、各病変について治療についてのタイムライン表示区域を設けることにより、ユーザは、病変イベントと治療イベントとの因果関係を時系列に沿って把握することが出来る。
【００５１】
［応用例３］
上記の実施形態において検査確認画面は、病変毎に検査イベントを時系列で図式的に示す画像であるとした。しかしながら、本実施形態はこれに限定されない。例えば、検査確認画面Ｉ６は、図１１に示すように、診療ステータス毎に検査イベントを時系列で図式的に示す表示画面であっても良い。図１１においては、診療ステータスとしては、スクリーニング、精密検査、及び経過観察が挙げられている。しかしながら、本実施形態に係る診療ステータスは、これに限定されず、精密検査Ａ、精密検査Ｂ、経過観察Ａ、経過観察Ｂ等のあらゆる既知の診療ステータスが採用可能である。
【００５２】
［効果］
上記の説明の通り、本実施形態に係る医用情報表示システム１は、少なくとも病変情報保管部８７、表示画面作成部９３、及び表示部９５を有している。病変情報保管部８７は、複数の検査イベントの各々を病変または診療ステータスとモダリティ種別と検査実施日とに関連付けた病変情報を記憶している。表示画面作成部９３は、病変情報保管部８７に記憶されている病変情報のうちの対象患者に関する病変情報に基づいて検査確認画面（あるいは検査・治療確認画面）を作成する。検査確認画面（あるいは検査・治療確認画面）には、対象患者に関する対象病変または診療ステータス毎に検査イベントを時系列で示すタイムライン表示区域が設けられている。対象病変または診療ステータスの検査期間を示す検査期間マークがタイムライン表示区域内の当該検査期間に対応する箇所に付加される。また、当該対象病変または診療ステータスについて行われた複数の検査イベントの各々について、当該検査イベントに供されたモダリティの種類に応じた検査イベントマークが、当該タイムライン表示区域内の当該検査イベントの検査実施日に対応する箇所に付加される。
【００５３】
かくして、本実施形態によれば、多数の検査の内容を容易に把握することが可能な医用情報表示システムを提供することが実現する。
【００５４】
なお、医用情報表示システム１の構成は、図１及び図２に例示の形態のみに限定されない。例えば、医用情報提供装置８００の機能と医用情報閲覧装置９００の機能とは、単一のコンピュータ装置により実現されても良い。また、図２の各部は、医用情報表示システム１に含まれる如何なる装置に実装されていても良い。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００５６】
１…医用情報表示システム、２１…治療情報保管部、２３…送信部、４１…医用画像保管部、４３…送信部、６１…医用レポート保管部、６３…送信部、８１…受信部、８３…治療情報保管部、８５…病変情報抽出部、８７…病変情報保管部、８９…送信部、９１…受信部、９３…表示画面作成部、９５…表示部、１００…電子カルテ作成装置、２００…電子カルテ保管装置、３００…医用画像観察装置、４００…医用画像保管装置、５００…医用レポート作成装置、６００…医用レポート保管装置、７００…医用画像撮影装置、８００…医用情報提供装置、９００…医用情報閲覧装置
【図１】
2015228103.tif 000003
【図２】
2015228103.tif 000004
【図３】
2015228103.tif 000005
【図４】
2015228103.tif 000006
【図５】
2015228103.tif 000007
【図６】
2015228103.tif 000008
【図７】
2015228103.tif 000009
【図８】
2015228103.tif 000010
【図９】
2015228103.tif 000011
【図１０】
2015228103.tif 000012
【図１１】
2015228103.tif 000013